(57)【特許請求の範囲】
【請求項１】
断面が略台形状で、両端部にソケットが突出する直管形照明器具の包装用固定具において、一枚の平板（１）を折曲げ、一面が重ね合った面（２・５）を持つ中空の三角筒（２３４）を形成すると共に、重ね合った一面（２・５）を構成した内側の折曲面（５）の一部に、前記三角筒（２３４）を形成した折曲方向と直角に折曲可能な係止片（６）を連設し、その係止片（６）に対向する前記三角筒（２３４）の他の２面（３・４）に、前記係止片（６）の先端角部（７・７）が嵌入する切溝（２０・２１）を設けたことを特徴とする直管形照明器具の包装用固定具。
【請求項２】
請求項１の三角筒（２３４）を３個以上備え、任意１個の三角筒（２３４）における切溝（２０・２１）から突出した係止片（６）の先端角部（７・７）の少なくとも一方（７）が、他の三角筒（２３４）における切溝（２０・２１）に嵌入するように、以上の各三角筒（２３４）を組み合わせたことを特徴とする直管形照明器具の包装用固定具。
【発明の詳細な説明】
【０００１】
【産業上の利用分野】
本発明は直管形照明器具の両端部を包囲固定するための包装用固定具に関する。
【０００２】
【従来の技術】
従来の包装用固定具ないしはそれを用いた包装構造を図５を使って説明する。断面が略台形状の器具本体Ａの両端部にソケットＢが取付いた状態の直管形照明器具を包装箱３５内に収納する。緩衝部４５と固定部４６を組合せ、固定部４６に嵌合切欠き４７を設けた固定具４０を両端に配置する。実用上は、物流上の利便性を考慮して、多数の包装箱３５をバンド結束するか、別の図外の大きな包装箱に詰め合わせる。
他の従来例を図６を使って説明する。この場合はソケットＢを取外し器具本体Ａ内部に収納して合成樹脂製袋５０にて包装し、そうした多数のものを仕切材５３・５４にてそれぞれ仕切りながら集積する。次に緩衝部材５２と補強部材５１を組合せて両端に配置した包装箱３６に収納する。
【０００３】
【発明が解決しようとする課題】
図５の固定具４０は緩衝部４５と固定部４６を含む複雑な構造である。もっと簡単な包装用固定具が望まれる。
図５の方式では１台ごとに包装箱３５に収納するため、直管形照明器具を安全に流通させることができる。しかし、多数の直管形照明器具を使用する工事現場等で、各包装箱３５からいちいち取り出す手間が大変である。また、使用後に残る包装箱３５材の物量が膨大となり、その廃棄処理が負担となる。
図６の方式は包装材料の削減や包装体積の縮減に有効である。しかし、器具本体Ａ内にあるソケットＢを所定位置にセットする手間が発生し、作業工数上の負担が嵩む。
本発明の目的は、特定な直管形照明器具に好適な簡単な包装用固定具を提供することである。また、３個以上の包装用固定具を組み合わせて用い、それによって包装廃棄物の発生を最小限にすると共に、包装箱からの取出し作業等の作業性を向上させることにである。
【０００４】
【課題を解決するための手段】
本発明の目的は次のようにして達成される。器具本体にソケットを普通に取付ける。ソケットと器具本体底部両側に内接し、器具本体底部で重ね合う段ボールシート等を折曲げた三角筒の重ね合った内側折曲片の一部を、三角筒の折曲方向と直角に折曲げて係止片を連設すると共に、その係止片に対向する三角筒の他の２面の斜面に係止片の先端角部が嵌入する切溝を設け、かつその切溝の長さを嵌入する係止片の先端角部の２倍の長さに設定した包装用固定具を組立て、照明器具両端に装着する。次に、装着した三角筒を１８０°逆向きにしながら密着させ切溝から突出した係止片の角部を相互の切溝に嵌入させた状態で複数台の照明器具を包装箱内に収納する。
【０００５】
【作用】
包装用固定具を両端に装着された照明器具は、ソケットと器具本体の底部両側が三角筒内に当接しているので、上下左右の動揺がなく確実に保持される。さらに、三角筒内に直立し先端が切溝に嵌入した係止片によって長手方向の移動が防止されると共に、包装箱との間に適当な空間が確保されるから輸送衝撃や包装箱のつぶれ等からも十分保護できる。
また、係止片は隣合った固定具の切溝にも嵌入しているから照明器具を係止する強度を増すことができ、それだけ三角筒の長さを短くして包装箱を小さくできると共に、固定具の位置がずれて照明器具の保持に支障をきたす恐れもない。
【０００６】
【実施例】
以下、本発明の実施例を図１〜図４を使って説明する。断面が略台形状で、両端部にソケットが突出する直管形照明器具（Ａ〜Ｄ）の包装用固定具を次のように形成する。一枚の平板１を折曲げ、一面が重ね合った面２・５を持つ中空の三角筒２３４を形成すると共に、重ね合った一面２・５を構成した内側の折曲面５の一部に、三角筒２３４を形成した折曲方向と直角に折曲可能な係止片６を連設し、その係止片６に対向する前記三角筒２３４の他の２面３・４に、係止片６の先端角部７・７が嵌入する切溝２０・２１を設ける。
以上の三角筒２３４を３個以上備え、任意１個の三角筒２３４における切溝２０・２１から突出した係止片６の先端角部７・７の少なくとも一方（７）が、他の三角筒２３４における切溝２０・２１に嵌入するように、以上の各三角筒２３４を組み合わせる。
説明を補足する。平板１は段ボール板であり、長辺を分割する折曲線１０、１１、１２によって区画される各面２〜５が設けられる。各面２〜５片は、直管形照明器具（Ａ〜Ｄ）のソケットＢ側を頂点とし器具本体Ａの底部Ｄ側を底辺として、面２・５が底辺で重なり合う三角筒２３４を構成し、その折曲幅寸法は面３・４がソケットＢと器具本体Ａの底部側部Ｃに、内側で接する寸法とする。三角筒２３４の底辺の内側で重なる面５には、折曲線１２と直角方向で三角筒２３４の端部から若干内側に折曲線１３を設け、適当な折曲高さＨを持つ係止片６を連設する。
三角筒２３４の斜面をなす面３・４には係止片６を垂直に折曲げたときに突当たる位置に、係止片６の先端角部７が嵌入する切溝２０・２１を設けると共に、切溝２０・２１の長さを嵌入する係止片６の先端角部７の２倍以上に設定する。以上のような平板１を図２に示すように係止片６を折曲げ、その先端角部７を切溝２０・２１の一端に嵌入させながら全体を三角筒状に折曲げ、直管形照明器具の端部を差込んで装着すれば、直管形照明器具の動揺を完全に防ぐことができる。
これを、図３に示すように隣り合う三角筒２３４が１８０°反転した状態で斜面３・４を密着させて所要台数組合せ、図４の断面図に示すように包装箱３０に収納するが、このときそれぞれの三角筒２３４の切溝２０・２１から突出している係止片６の先端角部７は、隣り合う三角筒２３４の切溝２０・２１の一端に嵌入する形態となり係止強度が増すので、係止片６を支持する切溝２０・２１と面３・４の端部のギャップ寸法を小さくすることが可能となり、それだけ包装箱３０の長さを小さくできる。
また、係止片６の先端角部７が相互にかみ合う状態で組合わされているので三角筒２３４がずれて直管形照明器具の保持が不完全になることもない。
さらに三角筒２３４は三角筒状となっているので使用する材料が少なくて済み、形状的にも強固であるから比較的小さな固定具でも有効である。
【０００７】
【発明の効果】
本発明によれば、安価かつ簡単な包装用固定具が得られる。また、一枚の平板を折曲加工するだけでソケットを取付けた状態の直管形照明器具を複数台数一括して包装箱に収納できるので、直管形照明器具の取り出しや取り付けの工数が少なくなると共に、包装材料の使用量が少ないので廃棄処理も容易となる。
三角筒を主体とする包装用固定具を組合せて用いる包装方法とすることにより、包装箱内のデットスペースを少なくできるので、一台ごとに包装箱に入れる場合に対して２０％程度の体積縮小が計れ、輸送・保管効率が大幅に良くなる。
【図面の簡単な説明】
【図１】本発明包装用固定具の展開図である。
【図２】同固定具の組立斜視図である。
【図３】同固定具の組合せ斜視図である。
【図４】同固定具を用いた包装状態の断面図である。
【図５】従来の包装方法の全体斜視図である。
【図６】別の従来包装方法の全体斜視図である。
【符号の説明】
Ａ：器具本体、Ｂ：ソケット、Ｃ：底部側部、Ｄ：底部、１：平板、
２〜５：面、１０〜１３：折曲線、６：係止片、７：先端角部、
２０・２１：切溝、３０：包装箱
【図１】
0003588870.tif 000002
【図２】
0003588870.tif 000003
【図３】
0003588870.tif 000004
【図４】
0003588870.tif 000005
【図５】
0003588870.tif 000006
【図６】
0003588870.tif 000007